Podtech/llm-jp-corpus-v4-ja_patent huggingface dataset:
(57)【要約】      （修正有）【課題】家庭用ゲーム機器のコントローラーの形状に合わせて敵宣素材にて成型縫製しケース状とし、手をホールドする為のゴム状のホルダー部を当該ケースへ縫製接着し、これに手を入れてゲーム機のコントローラーを操作させ、手よりコントローラーの脱落、落下防止と操作の感覚の質を高めるケース状のホルダーを提供する。【解決手段】家庭用ゲーム機器などのコントローラー本体１に敵宣素材にて成型縫製したケース２に手をホールドする為のゴム状のホルダー３を縫製接着しこれに手を入れて手をホールド及びコントローラーと密着させる事。【選択図】図３
0003133349.tif 000002
【実用新案登録請求の範囲】
【請求項１】
家庭用ゲーム機器などの娯楽型電子機器のコントローラーにおいてコントローラーの形状に合わせ敵宣素材にて成型縫製しケース型とし手をホールドする為のゴム状のホルダーを当該ケースに縫製接着し、これに手を入れてコントローラーと手を密着ホールドさせ、手よりの脱落、落下を防止し、操作の感覚の質を高める事を特徴としたゲームコントロール用楽々ケースホルダー
【考案の詳細な説明】
【技術分野】
【０００１】  本考案はゲーム機用、特に家庭用ゲーム機器などの娯楽型電子機器に関する。
【背景技術】
【０００２】  家庭用の娯楽型電子機器は様々なスタイルの異なる家庭用ゲーム機器が発売されている。当然ゲームの内容の多様化に伴い機器類も趣向をこらした形や色などの商品が発売されている。そのような折、近年発売されたゲーム機器ではテレビの画面に向かいゲーム機のコントローラーを振ったり傾けたりするような新趣向の商品も発売され話題になっているが、コントローラーを振ったりすることにより持っている手から抜けてしまう、あるいは落ちてしまうなどの事例があり、そういった事故を防ぐような脱落防止用のホルダーなどは発売されていなかった。
【考案の開示】
【考案が解決しようとする課題】
【０００３】近年の家庭用ゲーム機器の遊び方の多様化に伴い発売された新ゲーム機器ではテレビに映るゲーム内容に向かいゲーム用のコントローラーを振る、傾けるなど家庭内においてスポーツ性の高い遊び方なども普及して来た。当然ゲーム機のコントローラーにおいてはしっかりと手に握らなくてはならない場合もありゲーム内容によっては手より脱落あるいは抜けるなどで家具を壊してしまったり、コントローラー自体を壊す事もあった。その脱落事故などの危険性を防ぐ為と手に密着させる事で操作の感覚の質を高めることができる両面の利便性を考えるものである
【課題を解決するための手段】
【０００４】  本考案は、上述の課題を解決する為に、家庭用ゲーム機器などのゲーム用コントローラーにおいて、コントローラー自体をその形状に合わせて、敵宣素材を用い裁断、成型縫製したケースとする。無論コントローラー自体より当該ケースは任意に着脱できるように工夫する。その当該ケースに手をホールドする為のゴムバンド状のホルダーを縫製にて取り付けることにより手をしっかりとゲーム用コントローラーと密着させ、不意の際にも手より抜けたり、落下させたりする事を防ぐ事ができる。また操作の感覚の質も高まる。
【考案実施の形態】
【０００５】  家庭用ゲーム機器などのゲーム用コントローラーにおいて、コントローラー自体の様々な形状に合わせ敵宣素材を用いて裁断、成型縫製しピッタリと覆い包むケースとする。そのケースに敵宣位置に手をホールドする為のゴムバンド状ホルダーを縫製にて取り付ける。
【実施例】
【０００６】  以下、添付図面に従って一実施例を説明する。図１は家庭用ゲーム機器のコントローラーに考案のホルダーを装着した正面図である。詳細について説明すると図１の１は家庭用のゲーム機器のコントローラー本体である。２は耐久性の皮革等敵宣素材にて成型されたホルダーケース本体。図上ではゲーム用コントローラーの操作ボタンに影響が出ないように敵宣位置で開口してある。図２の３は伸縮するゴム状のホルダーである。【０００７】  本考案の一実施例は上術の如き構成からなるものであるから、当該考案品をゲーム機器のコントローラーに装着しゴム状ホルダーへ手を入れることにより激しい動きの操作にも手にピッタリと密着され、手よりコントローラーが抜けたり不意の際の落下なども防ぐ事ができる。また操作の感覚の質も高まる。【０００８】  以上、詳細の本考案による家庭用などのゲーム機器のコントローラー部に装着するケース状のホルダーの実施の形態を説明したが、ここで説明した実施の形態は本考案を説明するものであって、本考案は必ずしもこれに限定されるものではなく、本考案の精神を逸脱することなく当事業者が可能な変形または修正は本考案の範疇に含まれる。
【考案の効果】
【０００９】  上述の様に、本考案の家庭用ゲーム機器などの娯楽型電子機器のコントローラー部において当該考案のケース型ホルダーを装着しホルダー部に手を入れて操作することにより、激しい動きのゲーム内容であっても手にピッタリと密着され手よりの脱落、落下を防ぎ、従来事例としてあった手より抜けてしまい家具などに当たり家具を壊す事やコントローラー自体の破損なども防ぐ事ができる。また操作の感覚の質も高まりよりアクティブに動く事も出来るようになる。
【図面の簡単な説明】
【００１０】
【図１】ゲーム機器のコントローラーに本考案品を装着した正面図である。
【図２】ゲーム機器のコントローラーに本考案品を装着した側面図である。
【図３】ゲーム機器のコントローラーに本考案品を装着した斜視図である。
【図４】ゲーム機器のコントローラーに本考案品を装着した背面図である。
【符号の説明】
【００１１】１  ゲーム機器コントローラー本体
２  ケース型ホルダー
３  ホルダー部
【図１】
0003133349.tif 000003
【図２】
0003133349.tif 000004
【図３】
0003133349.tif 000005
【図４】
0003133349.tif 000006
【手続補正書】
【提出日】平成19年3月29日(2007.3.29)
【手続補正１】
【補正対象書類名】実用新案登録請求の範囲
【補正対象項目名】請求項１
【補正方法】変更
【補正の内容】
【請求項１】
家庭用ゲーム機器などの娯楽型電子機器のコントローラーにおいてコントローラーの形状に合わせ皮革等の敵宣素材にて成型縫製しケース型とし手をホールドする為のゴム状のホルダーを当該ケースに縫製接着し、これに手を入れてコントローラーと手を密着ホールドさせ、手よりの脱落、落下を防止し、操作の感覚の質を高める事を特徴としたキャリングケース。
(57)【要約】【課題】  歯を磨く際、歯垢を確実に清掃することと、歯茎の丹念なマッサージが重要であるが、意識しすぎるとグリップ部を必要以上に強く握り締めてしまい、ブラッシング時に余計な力がかかってしまうためにブラッシング自体が雑になり、歯垢が除去され難い・歯茎を傷める等の悪影響を与えてしまうことになる。適切なブラッシングを行なうために、親指・人差し指・中指で支持し適度な圧力でブラッシングし易く、また指先が不自由な人でも適切なブラッシングがし易く脱落しにくい、より効果的なブラッシングが可能となる新規構造をもつ歯ブラシを提供することを本考案の目的とする。【解決手段】  内側に指の動きの自由度を上げるために角度をつけたテーパー部（１４ａ）を設けたリング部（１４）を中心に柄上部（１３）と柄下部（１５）とに約３０度の角度を設け、リング部（１４）に対してヘッド部（１１）が約３０度の角度を有することを特徴とした歯ブラシである。【選択図】図１
0003133345.tif 000002
【実用新案登録請求の範囲】
【請求項１】
柄の途中（中央部）に歯ブラシ前面に対して水平方向に指を通すリング部（１４）を設けたことを特徴とする歯ブラシ。
【請求項２】
リング部（１４）を中心に柄上部（１３）と柄下部（１５）とに約３０度の角度を設けたことを特徴とする歯ブラシ。
【請求項３】
リング部（１４）内側に指の動きの自由度を上げるために角度をつけたテーパー部（１４ａ）を設けたことを特徴とする歯ブラシ。
【請求項４】
リング部（１４）に対してヘッド部（１１）が約３０度の角度を有することを特徴とした歯ブラシ。
【考案の詳細な説明】
【技術分野】
【０００１】  本案件は、口腔内清掃に用いる歯ブラシに関する。
【背景技術】
【０００２】    口腔内清掃に用いる歯ブラシは、歯を清掃する為の細毛が植毛されたヘッド部、歯ブラシの本体部分となるグリップ部とヘッド部を繋ぐネック部、歯ブラシの本体部分となるグリップ部、以上が一体構成された主に樹脂製の口腔内清掃用具である。
【考案の開示】
【考案が解決しようとする課題】
【０００３】  歯を磨く際、歯垢を確実に清掃することと、歯茎の丹念なマッサージが重要である。【０００４】  しかしその際に、意識しすぎるとグリップ部を必要以上に強く握り締めてしまい、ブラッシング時に余計な力がかかってしまう。そうなるとブラッシング自体が雑になり、歯垢が除去され難い・歯茎を傷める等の悪影響を与えてしまうことになる。【０００５】  グリップ部を全指で包み込むようにシェイクハンドで支持すると、動きが雑になる・力の加減が難しい等の問題が生じる。【０００６】  効果的なブラッシングを行なうに為には、人差し指・中指・親指の３本（以下、３指と言う）でグリップ部を水平に支持し、適度な圧力で１ｃｍから２ｃｍ程の稼動幅で小刻みにブラッシングすることが有効である。【０００７】  そこで本考案は、効果的なブラッシングが容易に行なえる、３指での支持がし易く脱落し難い歯ブラシの構造を提供することを目的とする。
【課題を解決するための手段】
【０００８】  本考案は、柄の途中（中央部）に歯ブラシ前面に対して水平方向に指を通すリング部（１４）を設けたことを特徴とする歯ブラシである。【０００９】  前記リング部（１４）を中心に柄上部（１３）と柄下部（１５）とに約３０度の角度を設けたことを特徴とする歯ブラシである。【００１０】  前記リング部（１４）内側に指の動きの自由度を上げるために角度をつけたテーパー部（１４ａ）を設けたことを特徴とする歯ブラシである。【００１１】前記リング部（１４）に対してヘッド部（１１）が約３０度の角度を有することを特徴とした歯ブラシである。【００１２】  前記リング部（１４）に親指もしくは適当な指を通し３指で支持し易くし、なおかつ脱落し難くしたことを特徴とする歯ブラシである。
【考案の効果】
【００１３】  したがって、本考案の歯ブラシ（１０）を用いれば、３指で支持し適度な圧力でブラッシングしやすい歯ブラシを提供することが出来る。また、指先が不自由な人でも適切なブラッシングがし易く脱落しにくい歯ブラシを提供することが出来る。
【考案を実施するための最良の形態】
【００１４】  本考案を実施するための最良の形態を、実施例として図を用いて以下に説明する。
【実施例】
【００１５】  図１は本考案の実施例である。【００１６】  本考案の歯ブラシ（１０）は、ヘッド部（１１）、ヘッド部（１１）と柄上部（１３）とを繋ぐネック部（１２）、指を通し支持する役目のリング部（１４）に繋がる柄上部（１３）、指を通し支持する役目のリング部（１４）、指を通し支持する役目のリング部（１４）に繋がる柄下部（１５）から構成される。【００１７】  歯ブラシ中央部に歯ブラシ前面に対して水平方向に指を通すリング部（１４）を設け、リング部内側に指の動きの自由度を上げるためにテーパー状に角度を設けた。【００１８】  前記リング部（１４）を中心に柄上部（１３）と柄下部（１５）とに約３０度の角度を設けた。【００１９】  前記リング部（１４）に対してヘッド部（１１）が約３０度の角度を設けたことにより、リング部（１４）に指を通してブラッシングするときに、適切な角度で歯と歯茎にブラシを接触させることが出来る。【００２０】  前記歯ブラシ（１０）は、リング部（１４）に親指もしくは適当な指を通し、３指で摘まむように支持する。これにより歯や歯茎に必要以上の圧力をかけずに、適度な圧力でブラッシングを行なうことが出来る。【００２１】  また、指先が不自由な人の場合、リング部（１４）に親指もしくは適当な指を通し、柄下部を押さえるように支持することが出来る。これにより、脱落無く適度な圧力でブラッシングが可能となる。【００２２】  既存の歯ブラシの場合は、１ｃｍから２ｃｍ程の稼動幅で小刻みにブラッシングを行ない難いが、前記２種類の支持方でも１ｃｍから２ｃｍ程の稼動幅で小刻みにブラッシングを行なうことが出来る。【００２３】  以上のことから、本考案の歯ブラシ（１０）を使用すれば、３指による支持が容易で、適度な圧力でブラッシングを行なえ、なおかつ１ｃｍから２ｃｍ程の稼動幅で小刻みにブラッシングを行なえるようになる。よって本考案の歯ブラシ（１０）は、効果的なブラッシングを提供することが出来る。
【図面の簡単な説明】
【００２４】
【図１】本考案の実施例、側面図。
【符号の説明】
【００２５】  １０    歯ブラシ
１１    ヘッド部
１２    ネック部
１３    柄上部
１４    リング部
１４ａ  リングテーパー部
１５    柄下部
【図１】
0003133345.tif 000003
【手続補正書】
【提出日】平成19年4月3日(2007.4.3)
【手続補正１】
【補正対象書類名】実用新案登録請求の範囲
【補正対象項目名】請求項１
【補正方法】変更
【補正の内容】
【請求項１】
柄の中央部に歯ブラシ前面に対して水平方向に指を通すリング部（１４）を設けたことを特徴とする歯ブラシ。
(57)【要約】【課題】尿瓶器口に篏入させた結合部は左右に自在に回転し着脱可能にするとともに結合部の他端には湾曲状に成形され、排尿受口の縁部にＵ字溝を形成した尿瓶を提供するものである。【解決手段】尿瓶の排尿受部を湾曲状に形成してその排尿受口の縁部にＵ字溝を設けた女性用尿瓶。【選択図】図１
0003133348.tif 000002
【実用新案登録請求の範囲】
【請求項１】
尿瓶本体の器口の内周に左右対称の突起片を設け、その器口の突起片に篏合する結合部の外周には突起片に篏合する位置から左右逆方向にそれぞれ対象に約８０度に渡って逆Ｌ字状のガイド溝が設けられている。さらにその結合部の他端には軟質材料で成形した湾曲状の排尿受口が装着されている。その湾曲状の縁部はＵ字に形成してなる女性用尿瓶。
【考案の詳細な説明】
【技術分野】
【０００１】  この考案は女性用尿瓶に篏合する結合部を着脱容易にするとともにし左右回転を自在にしたことに関する。
【技術背景】
【０００２】  従来の女性用尿瓶は本体器口に排尿受けが挿入又は螺旋設けて着脱していた。（実公昭５９−３４３９７、実公昭４３−１８３９９）
【考案が解決しようとする課題】
【０００３】  一方、昼夜頻繁に尿意を催す人、特に体の不自由な人、また、寝たきりの病人には排尿時はいかなる姿勢にも対応出来る尿瓶が要求される。
【問題を解決するための手段】
【０００４】  この考案は上記実情に鑑み、尿瓶本体に篏合する結合部を自由に左右に回転する機能を持たせ排尿受部は湾曲状に成形し、その縁部にＵ字溝を形成したところに特長がある。
【０００５】  しかし欠点もあり、排尿の際、尿排出部に直接軟質性の材料で湾曲状に成形された排尿受けを当てても女性器部特有の形状からどうしても尿漏れが生じる。これが解決できなかった。
【０００６】  そこで試行錯誤の結果、排尿受け口に吸収紙を取り付けることが実験上一番効果があることが解った。
【０００７】  例えばちり紙数枚を二つに折りたたみ排尿受部に設けたＵ字溝に沿って巻き付けその上から輪ゴムをＵ字溝に合わせて係止するのである。
【考案の効果】
【０００８】  以上要するに、この考案によれば排尿受部はガイド溝を自在に摺動するので寝たきりの病人、或いは体の不自由な女性が使用する際、女性の体型に関係なく、ちり紙を排尿口に輪ゴムで止めることにより尿漏れをちり紙に吸収させるのである。すなわち、ちり紙を適宜に巻くことにより尿漏れの防止が出来且つ、簡単安価に済むのである。
【産業上の利用可能性】
【００１０】  以上、要するに尿意を催した時、この尿瓶は女性誰でもが簡単に排尿が出来る。
【図面の簡単な説明】
【００１１】
【図１】器口に排尿受部が装着した状態
【図２】尿瓶器口の突起片
【図３】排尿受け部のガイド溝
【図４】突起片篏合部
【図５】排尿受部に吸収紙の取り付け方
【符号の説明】
【００１２】１はこの考案に係わる尿瓶の器口に排尿受部を装着した状態
２は器口部に設けた突起片
３は同上の突起片に篏合させるガイド溝
４は同上の突起片を篏合させるガイド溝
５は排尿受部の縁部にゴム輪で取り付ける順位
Ａはちり紙に輪ゴムを取り付けた状態
Ｂはちり紙を湾曲状Ｕ字溝に取り付けたところ
Ｃは取り付けたちり紙を折り返した状態
【図１】
0003133348.tif 000003
【図２】
0003133348.tif 000004
【図３】
0003133348.tif 000005
【図４】
0003133348.tif 000006
【図５】
0003133348.tif 000007
【手続補正書】
【提出日】平成19年4月6日(2007.4.6)
【手続補正１】
【補正対象書類名】実用新案登録請求の範囲
【補正対象項目名】請求項１
【補正方法】変更
【補正の内容】
【請求項１】
湾曲状の縁部がＵ字に形成してなる湾曲型尿瓶結合器において、
尿瓶本体の器口の内周に左右対称の突起片を設け、前記器口の突起片に篏号する結合部の外周には突起片に篏号する位置から左右逆方向にそれぞれ対称に約８０度に渡って逆Ｌ字状のガイド溝が設けられており、前記結合部の他端には軟質材料で成形した湾曲状の排尿受口が装着されていることを特徴とした湾曲型尿瓶結合器。
(57)【要約】【課題】  構造が複雑で組立てやメンテナンスに手間がかかる楕円トレーのセンタリング機構を単純な構造にし、正確な位置合わせをできるようにする。【解決手段】  フリーで回転するローラーａ（１）とローラーｂ（２）がローラー駆動軸（５）に沿って動き、左右挟み込むようにした。【選択図】図１
0003133361.tif 000002
【実用新案登録請求の範囲】
【請求項１】
フリーで回転する１、ローラーａと２，ローラーｂが５，ローラー駆動軸に沿って動き、左右挟み込むようにして、図１のような正円でない楕円のトレーや図４のようにずれた状態で運ばれて来るトレーも簡単な構造で正確に位置を合わせ整列させることができる機構。
【考案の詳細な説明】
【考案の詳細な説明】
【考案が解決しようとする課題】
【０００１】  従来の楕円トレーのセンタリング機構は構造が複雑で組立てやメンテナンスに手間がかかり、他の機構とも干渉しやすく故障や誤動作が増えるという課題を有していた。
【課題を解決する為の手段】
【０００２】  上記課題を解決するためにフリーで回転する４つのローラーがローラー駆動軸に沿って動き、左右挟み込むようにした。
【考案の効果】
【０００３】  このようにすれば、正円でない楕円のトレーやずれた状態で運ばれてくるトレーも簡単かつ正確に位置を合わせ整列させることができる。また、構造が単純になるため、メンテナンスや組立てに手間がかからなくなり、コスト削減になる。
【図面の簡単な説明】
【図１】  ローラーがセットした状態の楕円トレーの平面図である。
【図２】  図１の拡大図である。
【図３】  楕円トレーの整列機構を横から水平に見た図である。
【図４】  楕円トレーがずれて運ばれてきた状態の平面図である。
【符号の説明】
１  ローラーａ
２  ローラーｂ
３  楕円トレー
４  中心線
５  ローラー駆動軸
【図１】
0003133361.tif 000003
【図２】
0003133361.tif 000004
【図３】
0003133361.tif 000005
【図４】
0003133361.tif 000006
【手続補正書】
【提出日】平成19年4月5日(2007.4.5)
【手続補正１】
【補正対象書類名】実用新案登録請求の範囲
【補正対象項目名】全文
【補正方法】変更
【補正の内容】
【実用新案登録請求の範囲】
【請求項１】
フリーで回転するローラーａ（１）とローラーｂ（２）がローラー駆動軸（５）に沿って動き、左右挟み込むようにして、正円でない楕円のトレーや搬送軌道の中心線からずれた状態で運ばれて来るトレーも簡単な構造で正確に位置を合わせ整列させることができる機構。
(57)【要約】      （修正有）【課題】ズボン吊りバーの部分に女性の下着などの、筒状のものを通して吊ることができるようにする。【解決手段】ズボン吊りのバーを分割し着脱できる構造にする。着脱可能にすることにより、女性の下着などの筒状のものを通して吊ることが可能になる。【選択図】図４
0003133370.tif 000002
【実用新案登録請求の範囲】
【請求項１】
ハンガーのズボン吊のバーを分割し、その部分を簡単に着脱できる事を特長とした着脱ハンガー。
【考案の詳細な説明】
【技術分野】
【０００１】  この考案は、ハンガーのズボン吊バーの部分を着脱出来るようにし、バーに女性の下着など筒状の衣類を通して吊る事を、可能にした用具である。
【背景技術】
【０００２】  従来のハンガーのバーは、帯状の衣類を吊るものである。
【考案の開示】
【考案が解決しようとする課題】
【０００３】  しかしながら、上記の技術は帯状のものしか吊る事が出来なく、筒状の衣類を通して吊るという、機能を有していないという、課題がある。
この考案は、上記の点に着目し筒状の衣類を吊る機能を備える用具を、提供するものである。
【課題を解決するための手段】
【０００４】  この考案は下記の機能を備える事により上記の課題を解決できるものである。ズボン吊のバーを分割し着脱できる構造にする。
【考案の実施形態】
【０００５】  以下に、この考案の実施形態を説明する。
図−１に示すようにハンガーのズボン吊のバーに、着脱できる箇所を設ける。
【考案の効果】
【０００６】  この考案によれば、図−３のバーの１の部分を取り外し、筒状の衣類を通した後バーを接合する事により、筒状の衣類を吊ることが可能になる。
これにより、女性の下着などバーに通して吊ることが出来、落ちる心配もなくなる。
叉、シャツ等と同時にハンガーに掛ける事により、他人の目から隠す事も可能となり、盗難防止なども提供できる。
【図面の簡単な説明】
【０００７】
【図１】は、ハンガーの正面図で、１の部分は左右のバーを着脱できる箇所である材質は一般的に使用されている樹脂系である。
【図２】は、バーの平面図である。
【図３】は、バーを取り外した状態である。
【図４】は、バーに衣類を吊るした状態である。
【符号の説明】
【０００８】１  バーの着脱箇所
２  ハンガーのバー
３  ハンガーの首の部分
４  ハンガーの肩の部分
５  筒状の衣類
【図１】
0003133370.tif 000003
【図２】
0003133370.tif 000004
【図３】
0003133370.tif 000005
【図４】
0003133370.tif 000006
(57)【要約】      （修正有）【課題】紫外線をカットするクリームを塗ることに比べて時間的負担を小さくし、取り外しを簡単にし、幅広い年齢の人向けにデザインや装飾を凝らすことを可能とする紫外線カットマスクの提供。【解決手段】アルミ製の弾力性のある細長い部材１に、紫外線をカットする布を粘着テープで取り付け、粘着テープ式とめ具４を取り付けることにより、屋外などで顔にあたる紫外線をカットするときに顔にあたる広範囲の部分の紫外線をカットすることを可能とする。【選択図】図２
0003133362.tif 000002
【実用新案登録請求の範囲】
【請求項１】
弾性力のある細長い部材にいくつかのとめ具といくつかの紫外線をカットするための布を取り付けたことを特徴とする紫外線をカットするための道具
【考案の詳細な説明】
【技術分野】
【０００１】  本考案は弾性力のある細長い部材にいくつかのとめ具といくつかの紫外線をカットするための布を取り付けたことを特徴とする紫外線をカットするための道具に関するものである。
【背景技術】
【０００２】  屋外などで顔にあたる紫外線をカットするときにおいて、紫外線をカットするための道具にはサングラス、紫外線をカットするクリームを用いていた。
【考案の開示】
【考案の解決しようとする課題】
【０００３】  サングラスでは目のまわりの部分にあたる紫外線しかカットすることができない。また、紫外線をカットするクリームは塗るとき、落とすときの時間的負担が大きい。また、肌に合わない場合がある。
【課題を解決するための手段】
【０００４】  本考案は弾性力のある細長い部材にいくつかのとめ具といくつかの紫外線をカットするための布を取り付けたことを特徴とする紫外線をカットするための道具を本考案のとめ具により頭部、または帽子、または頭部装飾品に取り付けることによりこれらの問題点をすべて解決している。
【考案の効果】
【０００５】  顔にあたる広範囲の部分の紫外線をカットすることができる。また、本考案を用いることは紫外線をカットするクリームを塗ることに比べて時間的負担が小さく、取り外しが簡単である。幅広い年齢の人向けにデザインや装飾を凝らすことができる。
【考案を実施する最良の形態】
【０００６】弾性力のある細長い部材にいくつかのとめ具といくつかの紫外線をカットするための布を取り付ける。
【実施例】
【０００７】  以下、添付図面に沿って実施例を説明する。１はアルミ製の弾力性のある細長い部材で、これに２の紫外線をカットする透明度の高い布を３の粘着テープで取り付け、さらに１に４の粘着テープ式とめ具を取り付けた。
【図面の簡単な説明】
【０００８】
【図１】紫外線カットマスクの平面図
【図２】紫外線カットマスクを頭部に装着した図
【符号の説明】
【０００９】１  アルミ製の弾力性のある細長い部材
２  紫外線をカットする透明度の高い布
３  粘着テープで取り付け
４  粘着テープ式とめ具
５  頭部
６  ヘアーバンド
【図１】
0003133362.tif 000003
【図２】
0003133362.tif 000004
(57)【要約】      （修正有）【課題】夜間や曇りでも照明装置で明るく、注意を引くことができ、目に付く場所、受付窓口、ホール出入り口に設置する防犯照明装置を提供する。【解決手段】ＬＥＤ面状発光するパネルと太陽光パネルを使ってバス停留所、待合室の宣伝広告表示灯、自動販売機の宣伝照明灯、時刻表照明灯、パチンコ店ホール広告照明装置に関する表示装置からなるボード本体と、複数個のＬＥＤを配置したＬＥＤユニット基板図２を組み合わせたＬＥＤで面状部を面状発光させる形状構造。郊外型で電源部が供給しにくい場所でも太陽光パネルによる組み合わせにより電源供給ができる構造にした。【選択図】図１
0003133369.tif 000002
【実用新案登録請求の範囲】
【請求項１】
複数個のＬＥＤをユニット基板に取付けて太陽光発電パネルユニットより供給された電源による照明を制御する装置と枠で組み合わせた照明装置。
【考案の詳細な説明】
【技術分野】
【０００１】本実用新案は、ＬＥＤ面状発光するパネルと太陽光パネルを使ってバス停留所、待合室の宣伝広告表示灯、自動販売機の宣伝照明灯、時刻表照明灯、パチンコ店ホール広告照明装置に関する表示装置。
【背景技術】
【０００２】バス停留所の照明や自動販売機の照明器具は蛍光灯で設けられていることは公知である。しかし、省エネ、環境に優しい照明装置ではない。安全と安心の明るい町づくりに防犯表示として開発し高照度の照明装置にすることで離れたところからでも目に付き易くするＬＥＤ照明装置である。
【考案の開示】
【課題を解決するための手段】
【０００３】バス停留所のポールに電球や蛍光灯照明などがあることは公知の事実である。しかし夕陽のはね返りや雨天などで暗くなった時には見え難いのである。そこで高照度なＬＥＤ照明装置にすることで表示内容が明確となり生徒の登下校時犯罪や主婦の買い物帰りのひったくり防止をはかることができる。しかし光源として電球や蛍光灯管を用いるのでは照明装置本体が大きく場所を取ることになる。重ねて、電球や蛍光灯を光源とする場合には点灯時の発熱は避けられず消費電力も大きいのである。特に蛍光灯は水銀が使用され環境にも影響する。【０００４】本新案の目的は、電球や蛍光灯管を光源とする場合に比べて消費電力が少ないうえ、電球や蛍光灯管に比べて長寿命化でメンテナンスの手間を省けるメンテナンスフリーである。
本新案の目的は使用者の緊急度合いや警戒状況、周囲の状況に応じて複数段階に点滅調節することができる。ＬＥＤ照明装置は電球や蛍光灯の照明寿命に比べて５倍から１０倍の寿命効果がある。
【考案の効果】
【０００５】タイマーセンサーにより夜はもとより夕方や曇り、雨天などで急に暗くなった時にも照明装置が動作するように設計されており、企業宣伝や告知媒体として利用できる。
【考案を実施するための最良の形態】
【０００６】
【実施例１】図１本体は本実用新案に係る企業宣伝や広告媒体を表示するための照明装置の実施例を示す。図１は、主にバス停留所や待合い施設に設置する照明装置である。
【実施例２】ＬＥＤユニット基板図２を点灯あるいは点滅、動画を制御する制御回路スイッチ３に照明信号を与える電源を有する照明装置。
【実施例３】制御回路スイッチ３が点灯するＬＥＤ５の照度を複数段階に色変化、変更調整できる照明装置。
【実施例４】ＬＥＤユニット基板図２は上下左右の各表面に対して照明ボード本体図１に面状発光する照明装置。
【実施例５】照明ボード本体図１の面状板２はアクリル系樹脂板、ポリカ樹脂板、ガラス板などからなり１枚で表面に印刷表示でき面状発光する照明装置。
【実施例６】照明ボード本体図１の面状板２はアクリル系樹脂板、ポリカ樹脂板、ガラス板などからなり２枚合わせた中央部に印刷表示でき面状発光する照明装置。
【実施例７】面状板２のアクリル系樹脂板、ポリカ樹脂板、ガラス板などからなる表面また面状板２にはさまれた面状板２に文字、絵、写真を印刷やシールを貼り付ける照明装置。
【実施例８】照明ボード本体の光源に太陽光パネル発電ユニットによる電源供給ができる照明装置。
【産業上の利用可能性】
【０００７】本発明のにおいて、本体照明ボードフレーム部１の設計材料を金属柱やアルミフレームなどにすることで清潔感と熱伝導性に優れた材料である。面状発光部２はアクリル樹脂のボードを使用し発光効率を考慮した。この両方を兼ね備えた風雨避けおよび防犯向け照明装置は、駅前は基より暗い場所、そして夜間にも良く目立つ照明装置にして、犯罪を未然に防止する効果を最大限発揮する。電球や蛍光灯では、熱伝導性が悪く消費電力も高く電球交換などメンテナンスにも手間取るが、ＬＥＤ照明装置と組み合わせることで小型化も解決した。
【図面の簡単な説明】
【０００８】
【図１】バス停留所照明ボード本体図
【図２】ＬＥＤユニット基板図
【図３】自動販売機、時刻表照明灯、ホール広告照明装置の照明ボード図
【図４】太陽光発電装置取り付け時
【符号の説明】
【０００９】    １  照明ボードフレーム部（鉄骨、アルミ枠など）
２  透明ボード（アクリル樹脂などで広告）
３  制御回路スイッチ・センサー部
４  電源部
５  ＬＥＤ照明
６  太陽光パネル
【図１】
0003133369.tif 000003
【図２】
0003133369.tif 000004
【図３】
0003133369.tif 000005
【図４】
0003133369.tif 000006
(57)【要約】【課題】  従来の家庭用温熱治療器は形状が大きく取扱い移動が不便で消費電力が１５０Ｗを要するため総合的にコスト高で、低温火傷の危険性や機器の転倒の危険性もあった。【解決手段】  近赤外線低出力レーザー光線発熱体シートで足裏から照射し血行を良くして足元から身体全体を暖め温熱効率を得、省エネ仕様で取扱いが容易な家庭用簡易タイプである。【選択図】図１
0003133364.tif 000002
【実用新案登録請求の範囲】
【請求項１】
室内用シューズに近赤外線ダイオードをシートに実装配列しシューズ内部の底に近赤外線レーザー光を内蔵した発熱体シートを敷き足裏から光波長／光熱線を照射を行ない血流改善される温熱療法（物理療法）を特徴とする光暖シューズ。
【考案の詳細な説明】
【技術分野】
【０００１】  この考案は近赤外線ダイオードを利用した温熱療法機器に関する。
【背景技術】
【０００２】  従来の光線治療器は遠赤外線を搭載利用したスタンド式で直接素肌に照射する方式である。
【考案の開示】
【考案が解決しようとする課題】
【０００３】  しかしながら以上の従来技術によれば、家庭用温熱治療器はスタンド式で形状が大きく取扱い、移動が不便である。又消費電力が１５０Ｗを要するためコスト高になり、又低温火傷の危険性や機器の転倒の危険性等がある。そこでこの考案は省エネ仕様で取扱いが容易な温熱療法機器を提供することを課題とする。
【課題を解決するための手段】
【０００４】  以上の課題を解決するために、請求項１の考案は、近赤外線低出力レーザー光線発熱体シートを足裏から照射し血行を良くして足元から身体全体を暖めることにより温熱効率を得ることを特徴とする家庭用簡易タイプの温熱療法機器である。発熱体シートは超薄型で消費電力も省エネで取扱いが容易である。近赤外線発熱体シートは遠赤外線に比べ波長の長さが６８０〜８８８ｎｍと短かくて可視光線に近く皮膚深層部約３ｃｍまで光線が照射できる特徴を応用したもので、光波長と温熱で血流改善を行なう温熱療法をかねた光暖シューズである。
【考案の効果】
【０００５】近赤外線／光波長を身体に照射することにより血流が促進され温熱作用が全身に広がり、血行のめぐりが活発になり冷え性、腰痛、こり等の諸症状を緩和する。又、痛みや疲れの原因となる物質の除去を促進する。
【考案を実施するための最良の形態】
【０００６】図１、図２、図３、図４を参照して発明を実施するための最良の形態を説明する。図１は近赤外線室内用光暖シューズの全体図であり、靴内部の底に発熱体シート１がある。また、図２は発熱体シート１の電子回路図であり、電源５よりＤＣ１２Ｖを入力し近赤外線はダイオード３に適合する抵抗２を近赤外線ダイオード３の回路の前に実装する。近赤外線ダイオード３は６８０〜８８８ｎｍの波長のものを使用する。図３は発熱体シート１の構造図であり、基板４に近赤外線ダイオード３を実装しシート上に固定する。さらにその上下に不織布６を敷き近赤外線ダイオード３が直接足裏に接触することを防ぐと共に発熱体シート１に弾性を持たせる。図４は発熱体シート１における実装近赤外線の配置図で、シューズ底面と足裏が接することがない土踏まずを除いて基板４に近赤外線ダイオード３を実装配列し、近赤外線ダイオード３の頭部により足つぼを刺激する効果も保有するようにする。
【図面の簡単な説明】
【０００７】
【図１】この考案の一実施形態を示す全体図である。
【図２】この考案の一実施形態を示す発熱体シートの電子回路図である。
【図３】この考案の一実施形態を示す発熱体シートの構造図である。
【図４】この考案の一実施形態を示す発熱体シートの配置図である。
【符号の説明】
【０００８】１  発熱体シート
２  抵抗
３  近赤外線ダイオード
４  基板
５  電源
６  不織布
【図１】
0003133364.tif 000003
【図２】
0003133364.tif 000004
【図３】
0003133364.tif 000005
【図４】
0003133364.tif 000006
(57)【要約】      （修正有）【課題】靴下や足袋やストッキングの裏側が汚れるのをふせぐことを可能とし、汚れてしまった靴下や足袋やストッキングの裏側を隠すことを可能とし、その際、携帯を容易とし、使い捨てができるようにし、裏側にはるので上方から見えにくく、目立たないようにする。【解決手段】不織布１に粘着材２を付け、足の裏の型にカットしたことにより、靴下や足袋やストッキングの裏側が汚れるのをふせぐことを可能とし、汚れてしまった靴下や足袋やストッキングの裏側を隠すことを可能とし、その際、携帯を容易とし、使い捨てができるようにし、裏側にはるので上方から見えにくく、目立たないようにすることを可能としたものである。【選択図】図１
0003133365.tif 000002
【実用新案登録請求の範囲】
【請求項１】
不織布材に粘着材をつけ、足の裏の型にカットしたことを特徴とする靴下や足袋やストッキングの裏側が汚れるのをふせぐため、または汚れてしまった靴下や足袋やストッキングの裏側を隠すための道具
【考案の詳細な説明】
【技術分野】
【０００１】  本考案は不織布材に粘着材をつけ、足の裏の型にカットしたことを特徴とする靴下や足袋やストッキングの裏側が汚れるのをふせぐため、または汚れてしまった靴下や足袋やストッキングの裏側を隠すための道具に関するものである。
【背景技術】
【０００２】  靴下や足袋やストッキングの裏側が汚れるのをふせぐため、または汚れてしまった靴下や足袋やストッキングの裏側を隠すために、スリッパや靴下カバーを用いていた。
【考案の開示】
【考案の解決しようとする課題】
【０００３】  スリッパは携帯に不便であり、脱がずにそのまま靴を履くことができない。靴下カバーは上方から見えるので外見上目立ってしまう。
【課題を解決するための手段】
【０００４】  本考案は不織布材に粘着材をつけ、足の裏の型にカットしたことを特徴とする靴下や足袋やストッキングの裏側が汚れるのをふせぐため、または汚れてしまった靴下や足袋やストッキングの裏側を隠すための道具を靴下や足袋やストッキングの裏側に付けることによりこれらの問題点をすべて解決している。
【考案の効果】
【０００５】  靴下や足袋やストッキングの裏側が汚れるのをふせぐことができる。汚れてしまった靴下や足袋やストッキングの裏側を隠すことができる。携帯が容易である。使い捨てができる。裏側にはるので上方から見えにくく、目立たない。
【考案を実施する最良の形態】
【０００６】  不織布の片面に粘着材をつけ、足の裏の型にカットする。
【実施例】
【０００７】  以下、添付図面に沿って実施例を説明する。１は不織布で、これに２の粘着材を付け、足の裏の型にカットした。
【図面の簡単な説明】
【０００８】
【図１】不織布材に粘着材をつけ、足の裏の型にカットしたときの平面図
【図２】不織布材に粘着材をつけ、足の裏の型にカットしたときの側面図
【符号の説明】
【０００９】  １  足の裏の型にカットした不織布
２  粘着材
【図１】
0003133365.tif 000003
【図２】
0003133365.tif 000004
(57)【要約】      （修正有）【課題】自らのカメラ操作で確実に自分と他の被写体をフレームインさせることが出来る。【解決手段】ファインダーミラーはカメラボディーのストロボと干渉しない位置に被写体側に向けて、着脱可能に取り付ける凸ミラーであって、カメラのファインダーとして機能するものである。【選択図】図１
0003133363.tif 000002
【実用新案登録請求の範囲】
【請求項１】
デジタルカメラ・使い捨てカメラ・携帯電話のカメラボディーのストロボと干渉しない位置に被写体側に向けて、着脱可能にとりつける凸ミラーであって、カメラのファインダーとして機能するカメラ用ファインダーミラー。
【考案の詳細な説明】
【技術分野】
【０００１】本考案は、デジタルカメラ、使い捨てカメラ、携帯電話のカメラに使用する自分又は自分と他の被写体を自分で撮影できるカメラ用ファインダーミラーに関するものである。
【背景技術】従来のカメラで自分と他の被写体を一緒に自分の手だけで撮影する場合、感覚的に撮影している。そのため被写体がフレームからはずれ被写体をうまく捕捉できないという問題があった。【０００２】（下記、特許文献参考）【０００３】
【特許文献１】
【考案の開示】
【考案が解決しようとする課題】従来のカメラでは、レンズ側を自分と他の被写体に向けフレームインしているかの確認のできぬままシャッターをきるしかない。【０００４】本考案品は上記問題を解決するためになされたもので、被写体を確実にフレームインして被写体の意図どおりの捕捉を可能にするカメラ用ファインダーミラーを提供することを課題とする。
【課題を解決するための手段】本考案が提供するファインダーミラーはカメラボディーのストロボと干渉しない位置に被写体側に向けて、着脱可能に取り付ける湾曲ミラーであって、カメラのファインダーとして機能するカメラ用ファインダーミラーである。【０００５】そこで、本考案が提案するカメラ用ファインダーミラーは、デジタルカメラ・使い捨てカメラ・携帯電話のカメラボディーのストロボと干渉しない位置に着脱可能に貼り付ける凸面ミラーであって、カメラのファインダーとして機能するものである。
【考案の効果】
【０００６】本考案によれば自らのカメラ操作で確実に自分と他の被写体をフレームインさせることが出来る。
【考案を実施するための最良の形態】図１は、ファインダー付カメラに実施例のカメラ用ファインダーミラー１をファインダー２の上に取り付けた例である。図３は、実施例のファインダーミラーを示す図である。
図２は、ファインダーの無いタイプのカメラのストロボ３の下側にファインダーミラー１をカメラ本体からはみだした状態で取り付けた例である。
ファインダーミラー１は、図３に示すように、湾曲ミラー４の背面に粘着パッド５を一体に取り付けた形状になっている。
このファインダーミラー１は、カメラに取り付けたとき、ファインダーとして機能する。
【実施例】以下、に従って実施例を説明する。
図〔１〕は、ファインダー窓の上（スラッシュ）に実施例のファインダーミラー〔３〕を着脱可能に取り付けたカメラを示す。
図〔２〕は、ファインダーの無いタイプで実施例のファインダーミラー〔３〕をストロボに干渉させず、着脱可能に取り付けたカメラを示す。
【図面の簡単な説明】
【図１】実施例のファインダーミラーを取り付けた状態を示すファインダー付カメラ正面図である。
【図２】実施例のファインダーミラーをストロボの下側に取り付けた状態を示すファインダーのないカメラの正面図である。
【図３】実施例のファインダーを示し、同図（ａ）は、側面図、同図（ｂ）は、背面図である。
【符号の説明】
１、ファインダーミラー
２、ファインダー
３、ストロボ
４、湾曲ミラー（図は、凸ミラー
５、粘着パッド
【図１】
0003133363.tif 000003
【図２】
0003133363.tif 000004
【図３】
0003133363.tif 000005
(57)【要約】【課題】      本考案の課題は軽乗用車でも、大きい人が窮屈な姿勢で運転したり、後部座席座に窮屈な姿勢で座ることなく、ゆったりとした楽な姿勢で運転や後部座席に座ることができないものかの課題を解決するために考案されたものである。【解決手段】      軽乗用車運転席前列に助手席を設けないで大型椅子一席だけを設け、ゆったと運転ができるように工夫した。又後部座席に座った人が、前列大型椅子横のスペースに足を伸ばしてゆったりと乗れるような手段を用いて解決した。軽乗用車でありながら、大型車並みに楽に運転できるように工夫されたマイファーストクラスでツーバイワンの３人乗り軽乗用車を考案して解決した。【選択図】図２
0003133367.tif 000002
【実用新案登録請求の範囲】
【請求項１】
軽乗用車運転席前列に大きい人がゆったりと乗れる大型クラス運転席一席だけを設け、後部座席に座った大きい人が、助手席のスペースに足を伸ばして楽に乗れるように工夫されたことを特徴とする大きい人二人が楽に座れる３人乗り軽乗用車。
【考案の詳細な説明】
【技術分野】
【０００１】  従来の軽乗用車は大きい人がゆったりと運転する事や後部座席に座っても十分に足を伸ばして座ることができなかったが、本考案の軽乗用車はゆったりと運転でき且つ大きい人が楽に後部座席座って足を伸ばせるよう考案された軽乗用車を提供するものである。
【背景技術】
【０００２】  従来の軽乗用車は運転席前列に運転席並びに助手席を設けて二人乗れるようにしてある。実用的ではあるが、大きい人は運転する時、又後部座席に座った時に足も十分伸ばせず非常に窮屈な思いをしているのが現状である。
【考案の開示】
【考案が解決しようとする課題】
【０００３】  本考案は窮屈な姿勢で運転したり、後部座席座に窮屈な姿勢で座ることなく、ゆったりとした楽な姿勢で運転や、後部座席に座ることができないものかの課題を解決すべくようにしたものである。
【課題を解決するための手段】
【０００４】  本考案は前述の課題を解決するための手段として、軽乗用車運転席前列に助手席を設けないで大型椅子一席だけの運転席を設けているため、後ろに座った大きい人でも、助手席のスペースに一人はゆったりとした姿勢で十分に両足が伸ばせるように工夫した。又運転席は大型乗用車３０００ＣＣクラスの豪華運転席一席を設けて、軽乗用車でありながら、運転気分は大型車並みに楽にゆったりと運転できるように考案されたマイファーストクラスのツーバイワンの３人乗り軽乗用車にして解決した。
【考案の効果】
【０００５】  本考案は窮屈な姿勢で運転することから開放され、軽乗用車でありながら、運転気分は大型車並みに楽にゆったりと豪華に運転できるように工夫され且つ、後ろに大きい人が座っても助手席のスペースの半分位が空いているため、ゆったりとした姿勢で十分に両足が伸ばせるように工夫したマイファーストクラスの画期的な３人乗り軽乗用車である。
【考案を実施するための最良の形態】
【０００６】  考案を実施するための最良の形態に付いて図面を参照して説明する如く、図１は従来の軽乗用車の運転席前列側２に従来運転席４と助手席５、後列座席側３に後部座席１０があるが、現行の軽乗用車は大きい人がゆったりと運転することも出来ないうえ、後部座席１０に座っても足を十分伸ばして座る事はできない状態であった。
大きい人が、楽に運転でき後部座席１０にも楽に座れるようにするために、本考案は図２に示す如く、大きい人１４がゆったりと後部座席１０に足を伸ばして楽に座れるようにするとともに、運転するときも大型クラス運転席１１にゆったりと座ってハンドル８を操作できるようにした。【０００７】従来の軽乗用車の運転席前列側２には図１に示す従来運転席４と助手席５があるが、図１の助手席５を設けないで、図２に示す如く大型クラスの運転席１１のみを設けて後部座席１０に座った大きい人１４が足を伸ばして座っても楽に且つゆったりと座れるように考案されたものである。
また、助手席の前辺りに物入れ１２を設けて大きい人１４の足止めにした方が良い。大型クラス運転席１１には疲れないように肘掛１５を設けることが好ましい。【０００８】ハンドル８並びにダッシュパネル６に取り付けるメーター７は大型クラス運転席１１の中央当たりに取り付けを実施する方が好ましい。又ドアー９も外側に膨らみを持たせて座った時のゆったり感を味わうことができ、軽乗用車でありながら３０００ＣＣクラスの大型乗用車に乗っているかの豪華な感じがだせるようにすることがより好ましい。
【実施例】
【０００９】  実施例について図面を参照して説明する如く、図１は従来の軽乗用車の運転席前列側２に従来運転席４と助手席５、後列座席側３に後部座席１０があるが、後部座席１０を残して従来運転席４と助手席５は撤去して、図２に示すように大きい人１４がゆったりと後部座席１０に足を伸ばして楽に座れるようにするために、運転席前列側２にはヘッドレス１６付の大型クラス運転席１１を一席だけを設けて、後部座席１０に座った大きい人１４が助手席のスペースに、十分に足を伸ばせるように工夫した。
【産業上の利用可能性】
【００１０】    軽乗用車でありながら、運転気分は大型車並みに楽にゆったりと豪華に運転できるように工夫され且つ、後ろに大きい人が座っても助手席のスペースの半分位が空いているため、ゆったりとした姿勢で十分に両足が伸ばせるように工夫したマイファーストクラスの画期的な軽乗用車であるため、ツーバイワンの三人乗り軽乗用車は世界的にも広く需要があるあり、急速に普及される可能性は高く産業界に与える影響は多大である。
【図面の簡単な説明】
【００１１】
【図１】従来の軽乗用車の前列運転席と後部座席の斜視図である。
【図２】本考案の軽乗用車の前列運転席と後部座席の斜視図である。
【図３】従来の軽乗用車の運転席を前から見た斜視図である。
【図４】本考案の軽乗用車の運転席を前から見た斜視図である。
【符号の説明】
【００１２】１    車体
２    運転席前列側
３    後列座席側
４    従来運転席
５    助手席
６    ダッシュパネル
７    メーター
８    ハンドル
９    ドアー
１０  後部座席
１１  大型クラス運転席
１２  物入れ
１３  バックミラー
１４  大きい人
１５  肘掛
１６  ヘッドレス
【図１】
0003133367.tif 000003
【図２】
0003133367.tif 000004
【図３】
0003133367.tif 000005
【図４】
0003133367.tif 000006
(57)【要約】      （修正有）【課題】重要な情報が記載されている部分を容易に抹消できる個人情報抹消器を提供する。【解決手段】個人情報抹消器は可撓性の容器本体１、突起口２、耐水ペーパー４で弾性体３を挟んで容器本体１の底部に固着する。これを使用する時は予め容器の突起口２を外して水を入れておき該当する紙面の個人情報等の部分に容器本体を押圧して水で濡らし、底部のペーパーで消しゴム感覚で摩擦すれば弾性体の反発力により大きな摩擦力で容易に抹消できる。【選択図】図１
0003133386.tif 000002
【実用新案登録請求の範囲】
【請求項１】
目薬型の容器の底部に弾性体と耐水ペーパーを順次固着してなる個人情報抹消器。
【考案の詳細な説明】
【技術分野】
【０００１】  この考案は、一般家庭用の重要な情報が記載された部分を容易に抹消することができる個人情報抹消器に関する。
【背景技術】
【０００２】  従来の情報処理方法としてはシュレッダーにより細く切断していたが裁断屑の収納スペースもあり持ち運びや設置場所等問題点があった。
【考案の開示】
【考案が解決しょうとする課題】
【０００３】  それには、次のような問題点があった。
住所、氏名等が記載されたメークシールが貼られたダイレクトメールや封書では破棄したい個人情報が記載されている部分が一部であるにもかかわらずダイレクトメール等全てをシュレッダーにかける問題があった。
本考案は重要な情報が記載されている部分を容易に抹消できる個人情報抹消器を提供することを目的とする。
【課題を解決するための手段】
【０００４】  目薬型の容器の底部に弾性体と耐水ペーパーを順次固着する。
【考案の効果】
【０００５】  小型で簡単な構造で消しゴム感覚で容易に必要な部分のみ素早く抹消できる。
【考案を実施するための最良の形態】
【０００６】  本考案の特徴は水で紙面を濡らして耐水ペーパーで摩擦し必要な部分のインク等を削り取る方法を用いているので容器の口を小さくして容器本体の押圧により水量を調節できるようにしている。また耐水ペーパーと容器底部との間に弾性体を挟着して摩擦度を上げるようにしている。
【実施例】
【０００７】以下図面を参考にして本考案の実施例を説明する。
図１は個人情報抹消器の斜視図で１は可撓性の容器本体、２は突起口、４は耐水ペーパーで３の弾性体を挟んで容器１の底部に固着している。【０００８】これを使用する時は予め容器の突起口２を外して水を入れておき該当する紙面の個人情報等の部分に容器本体を押圧して水で濡らし底部のペーパーで消しゴム感覚で摩擦すれば弾性体の反発力により大きな摩擦力で容易に抹消できる。
なお耐水ペーパーは金属等の研磨用で耐久性に優れ反復使用することができる。
【図面の簡単な説明】
【０００９】
【図１】  本考案の個人情報抹消器の斜視図  （蓋は省略）
【符号の説明】
【００１０】  １    容器本体
２    突起口
３    弾性体
４    耐水ペーパー
【図１】
0003133386.tif 000003